(57)【要約】装置（１００）は、複数のサブシステム（１１０、１２０）と、複数のサブシステム間に動作可能に接続されデータを転送するようになっている制御インターフェース（１０５）とを備える。ストローブ発生機能部（２２５、３２５）は、制御インターフェース（１０５）に動作可能に接続され、複数の異なる信号を発生して異なる対象の受信デバイスを識別するように構成されている。従って、異なるストローブ信号は、それぞれのストローブ信号のパルス幅または電圧振幅特性に基づいて、単一の制御インターフェースリンク上に多重化することができる。ストローブ復号機能部は、制御インターフェース（１０５）に動作可能に接続され、複数の異なるストローブ信号を復号して、受信デバイス上のトリガー中のサブシステムを識別するように構成されている。
2008512907.tif 000002
【特許請求の範囲】
【請求項１】
複数のサブシステム（１１０、１２０）と、
複数のサブシステム間に動作可能に接続されデータを転送するようになっている制御インターフェース（１０５）と、
前記制御インターフェース（１０５）に動作可能に接続されたストローブ発生機能部（２２５、３２５）と、
を備える装置（１００）であって、
前記装置（１００）は、前記ストローブ発生機能部（２２５、３２５）が複数の異なる信号を発生して異なる対象の受信デバイスを識別するように構成されていることを特徴とする装置（１００）。
【請求項２】
更に、前記複数の異なるストローブ信号は、前記制御インターフェース上の単一信号上に多重化されることを特徴とする請求項１に記載の装置（１００）。
【請求項３】
更に、前記複数の異なるストローブ信号は、異なるサブシステム上で異なるイベントをトリガーするために発生されることを特徴とする請求項１または２に記載の装置（１００）。
【請求項４】
更に、前記複数の異なるストローブ信号は、複数のストローブの異なる電圧振幅特性および／または複数のストローブの異なるパルス幅または複数のストローブに用いられる異なるコードに基づくことを特徴とする前記請求項のいずれか１項に記載の装置（１００）。
【請求項５】
更に、前記ストローブ発生機能部（２２５、３２５）は、ストローブ信号を多重化し、多重化信号を前記制御インターフェース経由でストローブ復号システム（２４５）へ送ることを特徴とする前記請求項のいずれか１項に記載の装置（１００）。
【請求項６】
更に、前記ストローブ発生機能部（２２５、３２５）は、複数のタイマ（２１５、２２０）を備え、前記タイマは、前記ストローブ発生機能部（２２５、３２５）に動作可能に接続され、前記ストローブ発生機能部（２２５、３２５）をトリガーして前記複数のタイマ（２１５、２２０）の少なくとも１つに関連するストローブ信号を有する多重ストローブ信号（２２７）を発生するよう構成されていることを特徴とする前記請求項のいずれか１項に記載の装置（１００）。
【請求項７】
更に、前記複数のタイマ（２１５、２２０、４２０、４３０）は、独立してトリガーを発生することができることを特徴とする請求項６に記載の装置（１００）。
【請求項８】
更に、前記複数のタイマ（２１５、２２０、４２０、４３０）は、同時にトリガーを発生することができることを特徴とする請求項６に記載の装置（１００）。
【請求項９】
前記ストローブ発生機能部（２２５、３２５）は、前記制御インターフェース上の単一信号上に複数のストローブを多重化することを特徴とする前記請求項のいずれか１項に記載の装置（１００）。
【請求項１０】
更に、前記装置は無線通信デバイスであり、前記多重ストローブ信号上の前記異なるストローブ信号は、前記無線通信デバイスの異なる送受信機を識別することを特徴とする前記請求項のいずれか１項に記載の装置（１００）。
【請求項１１】
更に、前記無線通信デバイスは、第３世代、および第２世代の１つまたはそれ以上の改良型の移動通信体マルチモード動作をサポートすることを特徴とする請求項１０に記載の装置（１００）。
【請求項１２】
更に、前記装置は複数のサブシステムを備え、無線周波数集積回路（ＲＦＩＣ）（１２０）および／またはベースバンド集積回路（ＢＢＩＣ）（１１０）を備えることを特徴とする請求項１０または１１に記載の装置（１００）。
【請求項１３】
更に、前記ストローブ復号器システム２４５は、受信用の複数の状態マシンを備えることを特徴とする前記請求項のいずれか１項に記載の装置（１００）。
【請求項１４】
単一の状態マシンに送信される可変コードを発生することができ、コードの多重度が複数の異なる状態遷移を決定できるようになったストローブ発生器を特徴とする装置（１００）。
【請求項１５】
制御インターフェース（１０５）を経由して複数のサブシステム（１１０、１２０）にデータを転送する無線通信デバイス（１００）で使用するための集積回路（１１０、１２０）であって、前記集積回路（１１０、１２０）は、前記制御インターフェース（１０５）に動作可能に接続されたストローブ発生機能部（２２５、３２５）を備え、前記集積回路は、前記ストローブ発生機能部（２２５、３２５）が複数のストローブ信号を発生または復号化して異なる対象の受信デバイスを識別するように構成されていることを特徴とする集積回路。
【請求項１６】
更に、前記集積回路（１１０、１２０）は、前記制御インターフェース上の単一信号上に複数の異なるストローブ信号を多重化する多重化機能を備えることを特徴とする請求項１４に記載の集積回路（１１０、１２０）。
【請求項１７】
更に、前記ストローブ復号機能部（２２５、３２５）は、複数の異なるストローブ信号を復号して、異なるサブシステム上の異なるイベントをトリガーするように構成されていることを特徴とする請求項１４または１５に記載の集積回路（１１０、１２０）。
【請求項１８】
更に、前記複数の異なるストローブ信号は、複数のストローブの異なる電圧振幅特性および／または複数のストローブの異なるパルス幅または複数のストローブが用いる異なるコードに基づいていることを特徴とする前記請求項１３から１５のいずれか１項に記載の集積回路（１１０、１２０）。
【請求項１９】
更に、前記ストローブ発生機能部（２２５、３２５）は、複数のタイマ（２１５、２２０）に動作可能に接続され、前記タイマは、前記ストローブ発生機能部（２２５、３２５）をトリガーして、前記複数のタイマ（２１５、２２０）の少なくとも１つと関連するストローブ信号を有する多重ストローブ信号（２２７）を発生するように構成されていることを特徴とする前記請求項１４から１７のいずれか１項に記載の集積回路（１１０、１２０）。
【請求項２０】
更に、前記複数のタイマ（２１５、２２０、４２０、および４３０）は、独立して１つまたはそれ以上のトリガーを発生することができることを特徴とする請求項１８に記載の集積回路（１１０、１２０）。
【請求項２１】
更に、前記複数のタイマ（２１５、２２０、４２０、４３０）は、同時に１つまたはそれ以上のトリガーを発生することができることを特徴とする請求項１８または１９に記載の集積回路（１１０、１２０）。
【発明の詳細な説明】
【技術分野】
【０００１】
本発明は、装置およびその制御インターフェース関する。本発明は、限定されるものではないが、無線通信デバイス、特にマルチモード無線通信デバイスの制御インターフェースに適用可能である。
【背景技術】
【０００２】
携帯電話の送受話器等の無線通信デバイスは、所要の機能密度を実現するために、即ちデバイスの体積を最小にして最小コストで所要の機能を実現するために、ハードウエアおよびファームウエア／ソフトウエアの非常に高レベルの集積化を必要とする。また、最適な無線通信デバイスの設計は、バッテリの通話時間および／または待機時間を長くするために消費電力を最小にする必要がある。
【０００３】
また、無線通信デバイスは、複合式無線通信デバイスが実施する必要がある多様な機能および動作をもたらすために、動作可能に接続された複数の異なるサブシステムを内蔵している。このサブシステムは、無線周波数電力増幅機能部、無線周波数生成、増幅、濾過等の機能部を含む無線周波数集積回路（ＲＦＩＣ）、音声回路を含むベースバンド集積回路（ＢＢＩＣ）、符号化／復号化、変調（復調）機能部、並びに処理機能部およびメモリユニットを含む。
【０００４】
多くの場合は標準化されて、互換性、および異なるチップセット製造業者および異なる送受話器製造業者間の高機能化をもたらすインターフェースは、それぞれのサブシステム間での通信を目的として標準化される場合が多い。
【０００５】
無線通信デバイスが備える１つの典型的なインターフェースは、ベースバンド集積回路（ＢＢＩＣ）と無線周波数集積回路（ＲＦＩＣ）との間のインターフェースである。ＩＣ上の接続ピンは、デバイス／構成部品／機能部の間で電気信号を送るために使用される。例えばＢＢＩＣ−ＲＦＩＣインターフェースに余分のピンを使用すると、ＩＣ面積が増大し、ＩＣのコストが高くなると共により複雑になり、消費電力が増加するので、一般には無線通信デバイスで使用するＩＣのピン数を最小にすることが望ましい。
【０００６】
携帯電話の分野では、携帯電話製造業者の共同体が形成されており、第３世代（３Ｇ）広帯域符号分割多元接続（ＷＣＤＭＡ）技術を付加的に用いるマルチモード送受信機等の付加的な次世代無線通信技術をカバーするように移行する場合の、種々のサブシステムのインターフェース、特に第２世代携帯電話（２．ｘＧ）の改良型の間のインターフェースを定義している。この共同体は、「ＤｉｇＲＦ」として知られており、特にマルチモード携帯電話シナリオにおける定義済みインターフェースの詳細およびその機能は、彼らのウエブサイトｗｗｗ．ｄｉｇｒｆ．ｃｏｍに見ることができる。マルチモードの動作仕様はまだ入手できない。
【０００７】
ＤｉｇＲＦ共同体によって標準化された１つのインターフェースは、第２世代携帯電話（２．ｘＧ）チップセットの受信器（Ｒｘ）改良型および送信器（Ｔｘ）改良型に対するシリアルデータ／制御インターフェースを含むＢＢ−ＲＦインターフェースである。３Ｇ技術に要求される複雑性および高いデータ送信速度にも適応するようインターフェースを定義する場合、ＩＣピンの個数を最小にすることは明らかに有利である。
【０００８】
２．ｘＧ規格は、例えばＲＦＩＣとＢＢＩＣとの間でレイヤ−１タイミング情報を伝達するためのストローブ信号を含んでいる。特に、ストローブの信号幅および振幅は固定されている。従って、全てのストローブは互いに識別できない。更に、インターフェース規格は、２．ｘＧ送受信機（ＴＲＸ）のみを考慮して開発されている。ＢＢＩＣ−ＲＦＩＣインターフェースにおいて、ストローブ信号は、ＲＦＩＣ内のイベントの正確なタイミングをサポートするために提供されている。
【０００９】
しかしながら、次世代の無線通信デバイスは、複数の通信モードに適合する必要があることが想定されている。従来、同じインターフェースを使用して複数の送受信機にレイヤ−１タイミング情報を伝達する解決策は提案されていない。本発明者は、複数モードに適合するための、ストローブ信号をサポートする２．ｘＧピン等の二重ピンに関する従来の解決策は、貴重なリソースの浪費をもたらすと認識および評価している。
【００１０】
ＩＢＭの米国特許出願番号２００４３００７１０１５Ａ１には、ＳＤＲＡＭ（メモリ）インターフェースの分野においてストローブ信号を使用することが開示されている。「単一の」ストローブ信号が選択され、同期型ダイナミックＲＡＭ（ＳＤＲＡＭ）へのデータを正確にラッチするようになっている。また、異なるリソースから単一のストローブ信号を送信する概念も記載されている。しかしながら、米国特許出願番号２００４３００７１０１５Ａ１に提案された技術は、機能毎の単一ストローブ信号のラッチを示唆しており、貴重なリソースを浪費するという前述の問題を依然として解決するものではない。
【００１１】
Ｋｕｇｅ他によるＲｅｎｅｓａｓ  Ｔｅｃｈｎｏｌｏｇｙ  Ｃｏｒｐｏｒａｔｉｏの米国特許第６，７１５，０９６号には、メモリＩＣへのインターフェースと共にストローブ信号を使用する別の技術が記載されている。米国特許第６，７１５，０９６号には、格納されたデータウインドウ情報を使用してストローブのタイミングを決定することによって、データを最適なストローブタイミングでサンプリングするインターフェース回路デバイスが開示されている。米国特許第６，７１５，０９６号には、書き込み／読み取り（ＷＲ）メモリに関するラッチストローブに対して最適な遅延を選択することによって、データがメモリに正確にラッチされるインターフェースが明示されている。
【００１２】
従って、コスト高、複雑化、またはピン数の増加を招くことなく、例えば無線通信デバイスに、複数のデバイス（例えば送受信機）へのストローブ信号をサポートする、集積回路／サブシステムおよび対応制御インターフェースを組み込む仕組みに対するニーズが存在している。
【発明の開示】
【課題を解決するための手段】
【００１３】
本発明の態様によれば、制御インターフェースが提供され、請求項に記載の通りの装置およびそのための集積回路が説明されている。
【００１４】
添付図面を参照して本発明の例示的な実施形態を例示目的で以下に説明する。
【発明を実施するための最良の形態】
【００１５】
本発明の好適な実施形態は、マルチモード３Ｇおよび／または２．ｘＧ携帯電話機等の無線通信デバイス用の制御インターフェースに関連して説明されている。しかしながら、本発明は、装置内のそれぞれのサブシステム間に制御インターフェースを組み込んだ任意の装置において実施できることを理解されたい。更に、本発明概念は、データインターフェース等の任意のインターフェースにも適用可能であることが想定されている。従って、本発明との関連において、用語「制御インターフェース」は、任意のインターフェース、特に制御および／またはデータインターフェースを含むことを理解されたい。
【００１６】
要約すると、本発明の好適な実施形態は、単一の制御インターフェース通信リンク（即ち同一ＩＣピン）上で複数のストローブを多重化するための手段を提案し、マルチモード通信をサポートする無線通信デバイス内の異なる送受信機を接続するようになっている。本明細書で説明する発明概念は、異なるストローブ信号の多重化を使用して、対象の状態マシンまたはＲＦＩＣ等のサブシステム内部の他の機能部の間を識別することを提案するものである。特に、異なるストローブ信号は、生成、多重化、および復号化され、ストローブ信号に関連する可変パルスコード、可変パルス幅、または可変電圧振幅等に基づいて異なるサブシステム上でイベントをトリガーするようになっている。これにより、無線サブシステム内部の異なる状態マシンに対するストローブの多重化が可能になるが、依然として同じインターフェース接続を使用することができる。
【００１７】
最初に図１を参照すると、本発明の好適な実施形態の発明概念をサポートするようになっている無線通信デバイス１００の一部の単純化したブロック図が示されている。本発明の好適な実施形態との関連において、無線通信デバイス１００は、マルチコード３Ｇ−２．ｘＧ携帯電話機である。従って、無線通信デバイス１００は、無線通信デバイス１００内で受信器系統と送信器系統との間を分離する３Ｇ複式フィルタまたは２．ｘＧアンテナスイッチ１４０に好適に接続されたアンテナ１３５を含む。本技術分野では公知のように、受信器系統は、受信、濾過、および中間周波数変換またはベースバンド周波数変換を効率的に行う受信器フロントエンド回路等の多数の受信回路を含む。好適には、受信器回路は、主として無線周波数集積回路（ＲＦＩＣ）１２０上に形成される。ＲＦＩＣ１２０は、信号処理機能部、記憶素子等の複数の別の部品／機能部（図示せず）に好適に接続されている。
【００１８】
本技術分野では公知のように、ＲＦＩＣ１２０は、制御インターフェースを介して、復号化／符号化、変調／復調、インターリービング／デ・インターリービング等のベースバンド周波数での複数の信号処理操作を行うベースバンドＩＣ（ＢＢＩＣ）１１０へ動作可能に接続されている。ＢＢＩＣ１１０は、信号処理機能部、記憶素子等の複数の別の部品／機能部（図示せず）に好適に接続されている。ＢＢＩＣ１１０は、好ましくはタイマまたはクロック機能（図示せず）を有するか、または外部タイマまたはクロックに動作可能に接続されており、無線通信デバイス１００内で動作タイミング（時間依存信号の送信または受信）を制御する。
【００１９】
ＲＦＩＣ１２０とＢＢＩＣ１１０との間の接続は、好ましくはその間で信号を伝達する８本のピンを備える、ＲＥＩＣ−ＢＢＩＣ制御インターフェース１０５を経由して行われる。８本のピンは、好ましくはＲｘＴｘＤａｔａライン１１１、ＲｘＴｘＥｎライン１１２、ＣｔｒｌＤａｔａライン１１３、ＣｔｒｌＥｎライン１１４、ＣｔｒｌＣｌｋライン１１５、単一ストローブライン１１６、ＳｙｓＣｌｋライン１１７、およびＳｙｓＣｌｋＥｎライン１１８を含む。特に、本発明は、主としてストローブライン１１６の効率的な使用を目的としている。
【００２０】
ＢＢＩＣ１１０は、複数のＲＦＩＣ１２０（図示せず）に動作可能に接続できることが想定されており、この場合、各々のＲＦＩＣは例えば別個のＣｔｒｌＥｎを有している。また、ＢＢＩＣは、好ましくはオーディオスピーカ１６０および／または表示部１７０等の１つまたはそれ以上の出力デバイスに接続されている。
【００２１】
無線通信デバイス１００の送信器系統に関して説明すると、送信器系統は、ＢＢＩＣ１１０に接続されたマイクロフォン１５０および／またはキーパッド（図示せず）等の入力デバイスを含む。送信動作時、ＲＦＩＣは、無線周波数出力増幅器１２５に接続され、次に、アンテナスイッチ１４０または複式フィルタ１４０を介してアンテナ１３５に接続される。好ましくは、ＲＦＩＣ１２０に関連するバッテリレギュレータ（図示せず）は電力管理ユニット１３０で制御され、ＢＢＩＣ１１０は電力管理ユニット１３０の制御を管理する。
【００２２】
本発明の好適な実施形態において、ＢＢＩＣ−ＲＦＩＣインターフェース、結果的にＢＢＩＣおよびＲＦＩＣデバイスは、制御インターフェース上で受信されたストローブ信号の多重化または多重ストローブ信号の復号化を助長するようになっている。図２から図１１を参照して複数の多重ストローブ信号を利用するＲＦＩＣ−ＢＢＩＣおよび制御インターフェースの好適な構成を詳細に説明する。
【００２３】
次に図２を参照すると、本発明の第１の実施形態によるストローブ発生および復号化システム２００を示す。特に、ストローブ発生および復号化システムは、複数の内部状態マシンと共に１つのデバイスが使用されるシナリオを例示する。状態マシンは、所定時間のステータスを格納し、ステータスを変更するための入力および／または動作を引き起こすための入力に、または所定の変更を行うための出力に影響を与えることができる任意のデバイスである。ＲＦＩＣ上の状態マシンの主たる機能は、較正、ＲＸおよびＴＸイベントの制御および時間調節である。
【００２４】
ベースバンド制御器２１０は、ストローブ発生および復号化システム２００を備え、例えば、ＢＢＩＣのベースバンド制御器は、ストローブ信号２２７を発生するストローブ発生器２２５へ動作可能に接続された２つのレイヤ−１タイマ２１５および２２０を備える。ベースバンドプロセッサのレイヤ−１タイマ機能はモバイル通信端末において使用される。これは、それぞれのモバイルプロトコルのエアインターフェースの時間イベントを補正するために使用される。レイヤ−１は、ＩＳＯ７のレイヤモデル定義によれば、物理レイヤ制御である。レイヤ−１タイマブロックは、プログラム可能タイマであり、その機能は、予めプログラムされた時間で割り込みを発生させるものである。割り込みは、モバイル端末のソフトウエアまたは任意のハードコード状態マシンにおいて対象イベントをトリガーすることになる。ＲＦＩＣ等の対応する受信デバイス２３０または構成部品またはＩＣは、２つの対応するそれぞれの状態マシン２３５および２４０に動作可能に接続されたストローブ復号システム２４５を備える。
【００２５】
特に、ストローブ発生器２２５は、ストローブ信号を多重化して、それらを単一の多重ストローブ信号２２７として制御インターフェース経由でストローブ復号システム２４５に送る。ベースバンド制御器２１０のレイヤ−１タイマ２１５、２２０の一方または両方は、ストローブ発生器２２５をトリガーして、単一の信号上に多重化するための各々のストローブ信号を発生するように構成されている。好都合には、異なるストローブ振幅および／または異なるストローブコードまたはストローブパルス幅は、ストローブ信号上に多重化できることが想定されている。
【００２６】
好ましくは、可変ストローブコードの実施例において、ストローブコードは、レイヤ−１タイマ２１５、２２０のうちのどれがストローブ発生機能部２２５をトリガーしたかを示す「１」および「０」からなる特定の数または配列を含む特定のパルス幅であり、受信デバイス２３０上の対象となる状態マシンを示す。
【００２７】
好ましくは、可変ストローブ振幅の実施例は、所定のパルス幅および異なる電圧振幅レベルを有する特定のパルスを用いる。次に、多重ストローブ信号２２７は受信デバイス２３０で受信され、ストローブ復号器２４５によって復号される。次に、復号および逆多重ストローブ信号は、ストローブ振幅に応じて装置２３０内の内部状態マシン２３５、２４０の一方または両方をトリガーする。
【００２８】
このようにして、例えば、ＢＢＩＣは、複数の異なるストローブ信号を制御インターフェース上の単一通信ラインを経由して送ることができる。ストローブ受信デバイスまたはデバイスの一部は、例えばストローブ幅が所定の許容範囲に入る場合、復号されたストローブ入力に応答または従うように構成されている。所定の許容範囲は、ストローブ可変特性（即ちパルスの幅または振幅）の下限値から上限値の範囲である。ストローブを復号するために、正常値に関するヒステリシスをもつことが正確な復号のために望ましい。このヒステリシスは、ストローブ可変特性の所定の許容範囲に規定されることになる。
【００２９】
次に、図３は、複数のデバイス３４０、３５０がベースバンド制御器３１０に接続される場合の本発明の第２の実施形態によるストローブ発生および復号化システム３００を示す。複数の対応する受信デバイス（またはＲＦＩＣ等の構成部品またはＩＣ）の各々は、好ましくはデバイス３４０、３５０内部にストローブ復号器システム３３０、３４５および１つまたはそれ以上の状態マシン３３５、３５５を備える。
【００３０】
本実施形態において、ベースバンド制御器３１０レイヤ−１タイマ３１５、３２０の一方または両方は、同様にストローブ発生器３２５をトリガーすることができる。ストローブ発生器３２５は、特定の多重ストローブ信号３２７を発生する（複数の可変ストローブコードおよび／またはストローブ振幅に基づいて）。同様に、ストローブ発生器３２５は、制御インターフェースを経由して１つまたはそれ以上のデバイス３４０、３５０に多重ストローブ信号３２７を送る。多重ストローブ信号３２７は、復号されて複数の異なるストローブ信号に逆多重化されるが、各々のデバイス３４０、３５０は、特定のストローブ信号３２７を受信するよう構成されている。ストローブ信号３２７がデバイス３４０、３５０のそれぞれに対して有効な場合、有効な復号化ストローブは、デバイスの内部状態マシン３３５、３５５をトリガーすることになる。
【００３１】
同様に、異なるストローブコードおよび／またはストローブパルス幅および／またはストローブ振幅を使用して、異なるストローブ信号を生成できることが想定されている。本発明の好適な実施形態は、これら特性の任意の１つを使用して対象の受信側の状態マシンを識別することに関連して説明されているが、これらの特性および任意の別の適切な識別キャラクタの組み合わせを使用できることが想定されている。
【００３２】
このようにして、ＢＢＩＣは、複数の異なるストローブ信号を制御インターフェース上の単一通信ラインを経由して複数の受信デバイス、構成部品、またはＩＣに送ることができる。ストローブ受信デバイスまたはデバイスの一部は、例えば特定のストローブ信号のストローブ幅が所定の許容範囲に入るか否かを判定することによって、復号されたストローブ入力に応答または作用するように構成されている。
【００３３】
次に、図４は、本発明の好適な実施形態による複数のストローブ幅またはコード発生システム４００を示す。本発明のこの第３の実施形態において、２つのレイヤ−１タイマ機能４２０、４３０が示されており（明示目的で２つのみが示されている）、レイヤ−１タイマ機能４２０、４３０の各々は、それぞれのパルスコード（またはパルス幅）発生器４５０、４６０をトリガーすることができる。
【００３４】
特に好都合なことに、レイヤ−１タイマ機能４２０、４３０は、同時にまたは独立してトリガー信号を発生することができる。これにより、ベースバンド上の２つまたはそれ以上のＬ１タイマが独立してストローブ発生手段の制約を受けることなく動作するのを助長する。好ましくは、パルスコード発生器４５０、４６０は、クロックソース４４０によって計時される。パルスコード発生器４５０、４６０のそれぞれは、公知の固定幅のコードパルス幅（例えばＮクロック時間幅）を生成する。次に、パルスコード発生器４５０、４６０の各々の出力は、機能部４７０で論理的に組み合わされ、接続された制御インターフェースを経由して送る目的で単一の多重ストローブ信号４１０を発生するようになっている。
【００３５】
次に、図５を参照すると、タイミング図５００は、図４の第３の実施形態によるストローブ発生器の波形（入力５２０、５３０、およびこれに伴う出力５１０）を示す。第１のレイヤ−１の波形に示すように、第１のレイヤ−１のタイマ５２２は、パルスコード発生器４５０をトリガーする。パルスコード発生器は、レイヤ−１のタイマ５２２がストローブインターフェース信号の発生をトリガーしていることを示す特定のコード５４０を含むストローブインターフェース出力信号５１０を発生する。同様に、第２のレイヤ−１のタイマ出力５３２は、（それぞれの）パルスコード発生器をトリガーすることができる。パルスコード発生器は、同様に第２のレイヤ−１のタイマ５３２がストローブインターフェース信号の発生をトリガーしていることを示す特定のコード５４０を含むストローブインターフェース出力信号５１０を発生する。つまり、各々のレイヤ−１タイマは、別個のストローブコードを発生することが好ましい。レイヤ−１タイマの両方がトリガーパルス５２５、５３５を同時に発生する場合、パルスコード発生器の出力の両方が論理的に組み合わされて別の特定のストローブコード５６０を発生することが想定されている。好ましくは、レイヤ−１タイマが発生するストローブは、所定の幅（例えば「Ｎ」クロック時間）である。しかしながら、所定のパルス幅は実例に応じて様々とすることができる。
【００３６】
次に、図６は、本発明の第２の実施形態または第３の実施形態によるストローブ復号器構成６００を示す。ここでは、多重ストローブ信号６５７は制御インターフェース経由で受信され、タイムアウトタイマ６３０およびストローブ復号器の両方に入力される。この場合の復号器は６５０、６５５である。単純化する目的で２つのストローブ復号器が示されることに留意されたい。タイムアウトタイマ６３０およびストローブ復号器６５０、６５５は、受信デバイス、構成部品、またはＩＣ内に配置されること、または配置されないことができるクロックソース６１５によって計時される。
【００３７】
動作時、それぞれのストローブ復号器６５０、６５５は、受信ストローブ信号６５７のストローブコードがその特定のストローブ復号器ブロックに対して有効な場合にパルスを発生する。次に、ストローブ復号器ブロックの出力は、レジスタ／ラッチ６３５、６４０に入力される。好ましくは、所定時間経過後、一旦ストローブ信号６５７が検出されると、タイムアウトタイマ６３０はラッチ信号６３２を発生する。ラッチ信号６３２は、それぞれのレジスタ／ラッチ６３５、６４０へのストローブ復号器の出力をイネーブル／ラッチするために使用される。
【００３８】
次に、レジスタ／ラッチの出力６３７、６４２は、受信ストローブ信号６５７がそれぞれのストローブ復号器ブロックに対して有効であった場合、それぞれの状態マシン６２０、６２５をトリガーする。
【００３９】
タイマストローブ出力のラッチ後、タイムアウトタイマ６３０は、パルスクリア信号６３４を発生してストローブ復号器の出力をクリアする。
【００４０】
復号器の本実施形態において、復号器に入力されるパルス幅に応じて決まる固定の復号時間が存在することが好ましい。
【００４１】
次に、図７を参照すると、図６の復号器の実施形態による、多重化ストローブ発生信号およびその復号のタイミング図７００が示されている。第１の波形は、クロックソースが発生するシステムクロック７１０を示す。第２の波形７２０は、復号器への入力ストローブ信号（例えば、図６のストローブ信号６５７）を示す。内部状態マシンの１つまたは全てをトリガーするために、各々の入力ストローブ信号は、各々のタイマストローブによって復号され、有効な信号か否かが判定される。ストローブ信号は、それぞれのパルス符号語に基づいて形成される３つの異なるストローブ信号７２１、７２２、７２３を表すことに留意されたい。
【００４２】
第３の波形は、図６のタイムアウトタイマ６３０等のタイムアウトタイマから発生したラッチパルス７３０を示す。第４の波形は、クリアパルス信号７４０を示し、ストローブ復号器およびレジスタ／ラッチの出力をリセットするために使用される。最後に、最後の２つの波形７５０、７６０はレジスタ出力を示し、状態マシンをトリガーするために使用される。
【００４３】
次に、図８には、本発明の第４の実施形態によるストローブ発生回路８００（ストローブ電圧振幅に基づく）が示されている。ストローブ発生および復号化システム８００は、レイヤ−１タイマ８２０、８３０がパルスをトリガーするように構成されている。パルスは、特定のスイッチ８５０、８７０をトリガーして特定の電圧基準を選択することができる。別の方法で、ゼロ電圧基準８６０は組み合わせ論理素子８４０によって選択される。この出力は、出力バッファ８８０に接続され、ストローブ振幅信号８８２を発生するようになっている。
【００４４】
第１の電圧基準（Ｖｒｅｆ１）８７０および第２の電圧基準（Ｖｒｅｆ２）８５０は異なる電圧レベルに設定される。レイヤ−１タイマ８２０、８３０が同時にトリガーされると、出力バッファ８８０上で第３の信号、およびその後ストローブ振幅信号８８２を発生するのに使用される、Ｖｒｅｆ１（８７０）信号およびＶｒｅｆ２（８５０）信号が合成される。
【００４５】
ストローブ振幅信号８８２の電圧レベルは、制御インターフェースの受信側で復号され、接続された対象の状態マシンの両方（またはそれ以上）に対応するものとして解釈される。
【００４６】
特に、それぞれのストローブ信号は、所定ウインドウの許容範囲（即ち、振幅の＋／−変動）に入るストローブの大きさに基づいて多重化できることも想定されている。
【００４７】
次に、図９には、図８のストローブ発生回路による（異なる振幅の）多重ストローブ信号のタイミング図９００が示されている。第１の波形は、クロックソースが発生するシステムクロック９１０を示す。図８の２つのレイヤ−１タイマの波形９２０、９３０が示されている。特に、動作時、第１のレイヤ−１タイマがトリガー信号９３１を出力すると、（高い）出力ストローブ９４０に電圧基準９４１が印加される。第２のレイヤ−１タイマがトリガー信号９２１を出力すると、出力ストローブ９４０に第２の（低い）電圧基準９４２が印加される。更に、レイヤ−１タイマの両方（例えば、図８のレイヤ−１タイマ８２０および８３０）がトリガー信号９２２、９３２を出力する場合、電圧基準９４３を合成したものが出力ストローブ９４０に印加される。
【００４８】
このようにして、特定のストローブ発生器によって、異なる電圧の大きさを表す多重ストローブ信号を発生して制御インターフェース経由で送り、多重ストローブ信号は、対象の状態マシンに対応するものとして受信デバイスで解釈される。
【００４９】
次に、図１０には、図８および図９の（異なる振幅の）多重ストローブ信号を復号するように構成されている復号器１０１０の好適な回路図１００が示されている。入力ストローブ信号１０７７は、比較器１０６０、１０６５への入力１０７０、１０７５であり、異なる電圧レベルＶｒｅｆ１およびＶｒｅｆ２は２つの比較器１０６０、１０６５の基準となる。比較器に印加される基準電圧Ｖｒｅｆ１およびＶｒｅｆ２は、制御インターフェース上のマルチレベル・ストローブ信号に関する閾値論理レベルを表す。
【００５０】
２つの比較器１０６０、１０６５の出力は、復号論理機能部１０４０を経由してレジスタ／ラッチ１０４５、１０５０のそれぞれに入力される。また、２つの比較器１０６０、１０６５の出力は、それぞれ組み合わせ論理機能部１０５５に入力され、該機能部はラッチパルス発生器１０３０に出力を与える。ラッチパルス発生器１０３０は、クロックソース１０１５に動作可能に接続されている。
【００５１】
動作時、組み合わせ論理１０５５からの出力に応答して、比較器から出力される信号１０６０、１０６５のいずれかが電圧基準Ｖｒｅｆ１およびＶｒｅｆ２のいずれかと同じかまたはそれよりも大きい場合（即ち、振幅の＋／−変動）、ラッチ信号１０３５はラッチパルス発生器１０３０によってトリガーされる。その後、ラッチ信号１０３５は、復号論理機能部１０４０の出力をレジスタ／ラッチ１０４５、１０５０のそれぞれにラッチするために使用される。
【００５２】
復号論理出力がラッチされた後、ラッチパルス発生器１０３０は、パルスクリア信号１０３４を発生してレジスタ／ラッチ１０４５、１０５０のそれぞれをリセットする。復号器１０１０が有効なストローブ信号１０７７を受信している場合、その後、レジスタ／ラッチ１０４５、１０５０の出力は、状態マシン１０２０、１０２５のそれぞれをトリガーする。
【００５３】
別の実施形態において、デバイス内または複数のデバイス間で両方（またはそれ以上の）の状態マシン１０２０、１０２５をトリガーするために、２つの（またはそれ以上の）電圧基準を合成したものが復号器１０１０に入力される場合、別の１つの（またはそれ以上の）比較器を含み得ることが想定されている。
【００５４】
次に、図１１には、本発明の好適な実施形態による、図１０のストローブ振幅復号器回路が使用する関連波形のタイミング図１１００が示されている。第１の波形は、クロックソースが発生するシステムクロック１１１０を示す。第２の波形１１２０は、デバイスへの入力ストローブ信号（例えば、図１０の入力ストローブ信号１０７７）を示す。第３の波形１１３０は、ラッチパルス発生器が発生するラッチパルスを示す。特に、各々のストローブ信号は、電圧基準Ｖｒｅｆ１およびＶｒｅｆ２と比較されて、ストローブ信号が内部状態マシン１０２０、１０２５の１つ（または両方／全部）をトリガー可能な有効な信号か否かが判定される。第４の波形は、レジスタ／ラッチのそれぞれをリセットするために使用されるクリアパルス信号を示す。最後に、２つの波形１１５０、１１６０は、状態マシンをトリガーするのに使用されるレジスタ１１５５、１１６５の出力を示す。
【００５５】
このようにして、異なる大きさの信号を含む多重ストローブ信号は、制御インターフェース経由で受信して特定の受信デバイスを使用して復号し、各々の多重ストローブ信号のそれぞれを対象の状態マシンに対応するものとして受信デバイスにおいて解釈することができる。
【００５６】
次に、図１２には、本発明の好適な実施形態による、別のストローブ発生および復号化システム１２００が示されており、これは異なるストローブタイプを復号できるが、単一の状態マシンとインターフェース接続するストローブ復号器を有するＲＦＩＣの状態マシンを備える。
【００５７】
特に、別のストローブ発生および復号化システム１２００は、異なるストローブタイプを復号可能であるが、単一の状態マシン１２４０とインターフェース接続するストローブ復号器を有するＲＦＩＣの状態マシンを備える。
【００５８】
ベースバンド制御器１２１０はストローブ発生および復号化システム１２００を構成し、例えばＢＢＩＣのベースバンド制御器は、ストローブ信号１２２７を発生するストローブ発生器１２２５に動作可能に接続されたレイヤ−１タイマ１２１５を備える。ストローブ発生器１２２５は、ＭＣＵ１２２０またはレイヤ−１タイマイベント発生器１２１５からの入力を受信し、それに応じて別のストローブタイプを発生することができる。
【００５９】
ＲＦＩＣ等の対応する受信デバイス１２３０または構成部品またはＩＣは、対応する状態マシン１２４０のそれぞれに動作可能に接続されたストローブ復号器システム１２４５を備える。
【００６０】
特に、デバイス１２３０に配置された状態マシン１２４０は、ストローブ信号１２２７に応じて、入力コードの多重度を使用して状態変化の多重度を判定することができる。ストローブ発生器１２２５は、入力ソースに応じて異なるストローブタイプを復号する。好都合には、異なるストローブ振幅および／またはストローブコードまたはストローブパルス幅はストローブ信号上で多重化できることが想定されている。
【００６１】
複数のデバイス（例えば送受信機）へのストローブ信号の多重化から恩恵を受けることができる他のアーキテクチャも同様に、コスト高または複雑化またはピン数の増加を招くことなく実装できるので、前述の実施形態は、本明細書の発明概念を利用できる唯一の構成と見なされるものではない。このようなアーキテクチャの実施例は電源管理システムであり、Ｌ１時間イベントが電力供給の増減または低バッテリ電圧の検出等の機能をトリガーする。
【００６２】
前述の概念は、ＢＢＩＣ−ＲＦＩＣインターフェースに関連して説明されているが、当業者であれば、この発明概念が任意の制御インターフェースまたは制御インターフェースを含む装置にも同様に適用可能であることを理解できるはずである。また、この発明概念は、二重３Ｇ−２．ｘＧ無線通信デバイスに限定されるものではなく、ブルートゥース（登録商標）または超広帯域直交周波数分割多重（ＯＦＤＭ）技術をサポートする無線通信デバイス等の、ストローブ信号をサポートすることができる任意のデバイスに適用可能であることが想定されている。
【００６３】
また、前述の発明概念は、大部分の送受信機のアーキテクチャおよびプラットフォームソリューションに適用可能であることが想定されている。即ち、半導体製造業者は、独立型ＲＦＩＣおよび／またはＢＢＩＣおよび／または任意の他のサブシステム構成部品の設計に発明概念を用いることができる。
【００６４】
前述のように、制御インターフェースおよびその動作は、以下の利点の１つまたはそれ以上をもたらすことが意図されていることを理解されたい。
（ｉ）対象の受信デバイス／状態マシン間を識別するための異なるストローブ信号は、ストローブ幅を変えること、ストローブコードを付加すること、または種々のストローブ振幅または別のそれぞれのストローブ信号の識別特性を付加することによって生成することができる。
（ｉｉ）異なるストローブ信号は、単一ストローブ信号上に多重化することができる。
（ｉｉｉ）受信デバイスにおいて、多重ストローブ信号は、異なるサブシステム上で特定のイベントをトリガーするために、種々のストローブ振幅および／またはストローブ幅／コードに応じて復号化できる。
【００６５】
従って、本発明は、携帯電話等の制御インターフェースを組み込んだ現行の装置に対していくつかの利点をもたらす。携帯電話との関連において、例えば、２．ｘＧおよび／または３Ｇ無線通信デバイスにおけるＲＦＩＣとＢＢＩＣとの間で、前述の方法でストローブの多重化および逆多重／復号をサポートする制御インターフェースを備えると、貴重なリソースの浪費が低減する。更に、提案された制御インターフェースは、現行の解決策に比べて無線デバイスの容積、コスト、および電力消費が低減できるので、ＩＣおよび無線通信デバイスの製造業者に著しい利点をもたらす。
【００６６】
本発明の実施形態の特定の好適な用途を説明したが、当業者であればこの発明概念の変更および修正を行うことは容易である。
【００６７】
つまり、無線通信デバイス等の装置に制御インターフェースを組み込む手段が説明されており、これにより従来の装置がもつ前述の問題は実質的に解決されるものである。    
【図面の簡単な説明】
【００６８】
【図１】無線通信デバイスの単純化ブロック図であり、本発明の好適な実施形態により適合された、ＤｉｇＲＦ  ２．ｘＧ規格で定義されたＢＢＩＣ−ＲＦＩＣインターフェースを示す。
【図２】本発明の第１の実施形態による、１つのデバイスが複数の内部状態マシンと共に使用される場合のストローブ発生および復号化システムを示す。
【図３】本発明の第２の実施形態による、複数のデバイスが使用される場合のストローブ発生および復号化システムを示す。
【図４】本発明の第３の実施形態による、複数のストローブ幅またはコード発生システムを示す。
【図５】本発明の第３の実施形態による、ストローブ発生器の入力およびその結果としての出力のタイミング図である。
【図６】本発明の第１、第２、または第３の実施形態による、ストローブ復号器の構成である。
【図７】本発明の第１、第２、または第３の実施形態による、ストローブ復号操作のタイミング図である。
【図８】本発明の第４の実施形態による、ストローブ発生多重化回路を示す。
【図９】図８のストローブ発生器の回路による、多重化ストローブ信号のタイミング図である。
【図１０】図８および図９の（異なる振幅に）多重化されたストローブ信号を復号するように構成された復号器の回路図である。
【図１１】本発明の好適な実施形態による、図１０のストローブ振幅復号回路が用いる関連波形のタイミング図である。
【図１２】本発明の別の実施形態による、ストローブ発生および復号化システムを示す。
【図１】
2008512907.tif 000003
【図２】
2008512907.tif 000004
【図３】
2008512907.tif 000005
【図４】
2008512907.tif 000006
【図５】
2008512907.tif 000007
【図６】
2008512907.tif 000008
【図７】
2008512907.tif 000009
【図８】
2008512907.tif 000010
【図９】
2008512907.tif 000011
【図１０】
2008512907.tif 000012
【図１１】
2008512907.tif 000013
【図１２】
2008512907.tif 000014
【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
複数のサブシステム（１１０、１２０）と、
複数のサブシステム間に動作可能に接続されデータを転送するようになっている制御インターフェース（１０５）と、
前記制御インターフェース（１０５）に動作可能に接続されたストローブ発生機能部（２２５、３２５）と、
を備える装置（１００）であって、
前記装置（１００）は、前記ストローブ発生機能部（２２５、３２５）が、複数のストローブの異なる電圧振幅特性および／または複数のストローブの異なるパルス幅または複数のストローブに用いられる異なるコードに基づいて、複数の異なる信号を発生して異なる対象の受信デバイスを識別するように構成されていることを特徴とする装置（１００）。
【請求項２】
更に、前記複数の異なるストローブ信号は、前記制御インターフェース上の単一信号上に多重化されることを特徴とする請求項１に記載の装置（１００）。
【請求項３】
更に、前記複数の異なるストローブ信号は、異なるサブシステム上で異なるイベントをトリガーするために発生されることを特徴とする請求項１または２に記載の装置（１００）。
【請求項４】
更に、前記ストローブ信号は、所定ウインドウの許容範囲に入るストローブ信号の大きさに基づいて、前記制御インターフェース上の単一信号上に多重化されることを特徴とする請求項２に記載の装置（１００）。
【請求項５】
更に、前記ストローブ発生機能部（２２５、３２５）は、ストローブ信号を多重化し、多重化信号を前記制御インターフェース経由でストローブ復号システム（２４５）へ送ることを特徴とする前記請求項のいずれか１項に記載の装置（１００）。
【請求項６】
更に、前記ストローブ発生機能部（２２５、３２５）は、複数のタイマ（２１５、２２０）を備え、前記タイマは、前記ストローブ発生機能部（２２５、３２５）に動作可能に接続され、前記ストローブ発生機能部（２２５、３２５）をトリガーして前記複数のタイマ（２１５、２２０）の少なくとも１つに関連するストローブ信号を有する多重ストローブ信号（２２７）を発生するよう構成されていることを特徴とする前記請求項のいずれか１項に記載の装置（１００）。
【請求項７】
更に、前記複数のタイマ（２１５、２２０、４２０、４３０）は、独立してトリガーを発生することができることを特徴とする請求項６に記載の装置（１００）。
【請求項８】
更に、前記複数のタイマ（２１５、２２０、４２０、４３０）は、同時にトリガーを発生することができることを特徴とする請求項６に記載の装置（１００）。
【請求項９】
更に、前記制御インターフェース（１０５）は、ベースバンドサブシステム（１１０）を無線周波数サブシステム（１２０）に動作可能に接続することを特徴とする前記請求項のいずれか１項に記載の装置（１００）。
【請求項１０】
更に、前記装置は無線通信デバイスであり、前記多重ストローブ信号上の前記異なるストローブ信号は、前記無線通信デバイスの異なる送受信機を識別することを特徴とする前記請求項のいずれか１項に記載の装置（１００）。
【請求項１１】
更に、前記無線通信デバイスは、第３世代、および第２世代の１つまたはそれ以上の改良型の移動通信体マルチモード動作をサポートすることを特徴とする請求項１０に記載の装置（１００）。
【請求項１２】
更に、前記装置は複数のサブシステムを備え、無線周波数集積回路（ＲＦＩＣ）（１２０）および／またはベースバンド集積回路（ＢＢＩＣ）（１１０）を備えることを特徴とする請求項１０または１１に記載の装置（１００）。
【請求項１３】
更に、前記ストローブ復号器システム２４５は、受信用の複数の状態マシンを備えることを特徴とする前記請求項のいずれか１項に記載の装置（１００）。
【請求項１４】
単一の状態マシンに送信される可変コードを発生することができ、コードの多重度が複数の異なる状態遷移を決定できるようになったストローブ発生器を特徴とする装置（１００）。
【請求項１５】
制御インターフェース（１０５）を経由して複数のサブシステム（１１０、１２０）にデータを転送する無線通信デバイス（１００）で使用するための集積回路（１１０、１２０）であって、前記集積回路（１１０、１２０）は、前記制御インターフェース（１０５）に動作可能に接続されたストローブ発生機能部（２２５、３２５）を備え、前記集積回路は、前記ストローブ発生機能部（２２５、３２５）が、複数のストローブの異なる電圧振幅特性および／または複数のストローブの異なるパルス幅または複数のストローブに用いられる異なるコードに基づいて、複数のストローブ信号を発生または復号化して異なる対象の受信デバイスを識別するように構成されていることを特徴とする集積回路。
【請求項１６】
更に、前記集積回路（１１０、１２０）は、前記制御インターフェース上の単一信号上に複数の異なるストローブ信号を多重化する多重化機能を備えることを特徴とする請求項１４に記載の集積回路（１１０、１２０）。
【請求項１７】
更に、前記ストローブ復号機能部（２２５、３２５）は、複数の異なるストローブ信号を復号して、異なるサブシステム上の異なるイベントをトリガーするように構成されていることを特徴とする請求項１４または１５に記載の集積回路（１１０、１２０）。
【請求項１８】
更に、前記ストローブ信号は、所定ウインドウの許容範囲に入るストローブ信号の大きさに基づいて、前記制御インターフェース上の単一信号上に多重化されることを特徴とする前記請求項１３から１５のいずれか１項に記載の集積回路（１１０、１２０）。
【請求項１９】
更に、前記ストローブ発生機能部（２２５、３２５）は、複数のタイマ（２１５、２２０）に動作可能に接続され、前記タイマは、前記ストローブ発生機能部（２２５、３２５）をトリガーして、前記複数のタイマ（２１５、２２０）の少なくとも１つと関連するストローブ信号を有する多重ストローブ信号（２２７）を発生するように構成されていることを特徴とする前記請求項１４から１７のいずれか１項に記載の集積回路（１１０、１２０）。
【請求項２０】
更に、前記複数のタイマ（２１５、２２０、４２０、および４３０）は、独立して１つまたはそれ以上のトリガーを発生することができることを特徴とする請求項１８に記載の集積回路（１１０、１２０）。
【請求項２１】
更に、前記複数のタイマ（２１５、２２０、４２０、４３０）は、同時に１つまたはそれ以上のトリガーを発生することができることを特徴とする請求項１８または１９に記載の集積回路（１１０、１２０）。
【国際調査報告】
2008512907.tif 000015
2008512907.tif 000016